(57)【要約】【課題】  机上の所定空間を容易に外部と仕切ることのできる空間保護仕切り装置を提供する。【解決手段】  机（１）に対して着脱可能に装着され、装着状態において机上の所定空間を外部と仕切る空間保護仕切り装置であって、互いに向かい合う一対の側板部材（３１）と、側板部材に対して摺動可能であり、側板部材とともに上記所定空間を覆う第１の状態と上記所定空間を開放状態とする第２の状態との間で動作可能な開閉部材（３２）とを有する【選択図】図６
2008049099.tif 000002
【特許請求の範囲】
【請求項１】
机に対して着脱可能に装着され、装着状態において机上の所定空間を外部と仕切る空間保護仕切り装置であって、
互いに向かい合う一対の側板部材と、
前記側板部材に対して摺動可能であり、前記側板部材とともに前記所定空間を覆う第１の状態と前記所定空間を開放状態とする第２の状態との間で動作可能な開閉部材とを有することを特徴とする空間保護仕切り装置。
【請求項２】
前記机は、抽斗を有しており、
前記開閉部材は、前記第１の状態において、前記抽斗の前面のうち少なくとも一部の領域を覆うことを特徴とする請求項１に記載の空間保護仕切り装置。
【請求項３】
前記開閉部材を前記第１の状態においてロックするロック機構を有することを特徴とする請求項１又は２に記載の空間保護仕切り装置。
【請求項４】
前記机に着脱可能に装着される第１仕切りユニットと、
前記第１仕切りユニットに着脱可能に装着され、前記側板部材及び前記開閉部材を含む第２仕切りユニットを有し、
前記第１仕切りユニットが、前記机の天板における外側縁のうち一部の領域内に配置されることを特徴とする請求項１から３のいずれか１つに記載の空間保護仕切り装置。
【請求項５】
前記第１仕切りユニットは、前記机上に配置される電子機器の配線を通過させるための開口部を有することを特徴とする請求項４に記載の空間保護仕切り装置。
【発明の詳細な説明】
【技術分野】
【０００１】  本発明は、机に対して着脱可能に装着され、机上の所定空間を外部と仕切るための空間保護仕切り装置に関するものである。
【背景技術】
【０００２】  従来、机上のスペースは作業などを行うスペースとして用いられており、作業に必要の無いものは、机に設けられた抽斗内に収納している。また、机には、抽斗をロック可能なロック機構を備えたものがあり、重要書類等は抽斗内に収納して、抽斗をロックすることで、書類等が紛失しないようにしている。【０００３】  一方、パソコン等の電子機器の普及により、机上に電子機器を配置して、作業を行うことがある。ここで、パソコンでは、情報セキュリティ技術の発達により、所有者以外の者がパソコンを使用するのを禁止するために、パスワードの入力や認証センサ（例えば、指紋認証）といった技術が用いられるようになっている。
【発明の開示】
【発明が解決しようとする課題】
【０００４】  しかしながら、例えば、机上で書類を広げながらパソコンを使用する場合において、作業者が机を離れる場合には、以下に説明する不具合が生じてしまう。【０００５】  ここで、机上の書類が盗難等されてしまうのを防止するためには、机に設けられた抽斗内に書類を収納して、抽斗をロックしなければならない。しかも、所有者以外の者がパソコン内の情報に不正にアクセスするのを防止するために、パソコンにおいて、パスワードの設定等をしておかなければならない。【０００６】  このように、作業者が机を離れる場合には、書類及びパソコンの管理といった、２つの作業を行わなくてはならず、作業者にとって面倒な作業となる。特に、一時的に机を離れる場合や、机を離れる度に、上述した作業を行うのは面倒である。【０００７】  また、ＯＡデスク等では、抽斗をロックするロック機構を備えていないものが多く、作業者が机を離れる場合に、書類を一時的に保管しておくことができないこともある。【０００８】  そこで、本発明の目的は、机上の空間を物理的に仕切ることによって、机上に配置された物（例えば、パソコンや書類）をまとめて保護することのできる空間保護仕切り装置を提供することにある。
【課題を解決するための手段】
【０００９】  本発明は、机に対して着脱可能に装着され、装着状態において机上の所定空間を外部と仕切る空間保護仕切り装置であって、互いに向かい合う一対の側板部材と、側板部材に対して摺動可能であり、側板部材とともに上記所定空間を覆う第１の状態と上記所定空間を開放状態とする第２の状態との間で動作可能な開閉部材とを有することを特徴とする。【００１０】  ここで、机が抽斗を有している場合において、開閉部材は、第１の状態において、抽斗の前面のうち少なくとも一部の領域を覆うことができる。【００１１】  また、開閉部材を第１の状態においてロック（言い換えれば、施錠）するロック機構を設けることができる。【００１２】  さらに、空間保護仕切り装置を、机に着脱可能に装着される第１仕切りユニットと、第１仕切りユニットに着脱可能に装着され、側板部材及び開閉部材を含む第２仕切りユニットとで構成することができる、ここで、第１仕切りユニットは、机の天板における外側縁のうち一部の領域内に配置される。【００１３】  また、第１仕切りユニットに、机上に配置される電子機器の配線を通過させるための開口部を設けることができる。
【発明の効果】
【００１４】  本発明によれば、開閉部材を第１及び第２の状態間で動作させるだけで、机上の所定空間を覆ったり、所定空間を開放状態としたりすることができる。そして、机上の所定空間を覆うことで、机上に配置された物（例えば、書類や電子機器）をまとめて保護することができる。
【発明を実施するための最良の形態】
【００１５】  以下、本発明の実施例について説明する。
【実施例１】
【００１６】  本発明の実施例１である空間保護仕切り装置について、図１から図６を用いて説明する。ここで、図１は、本実施例の空間保護仕切り装置が着脱可能に装着される机の構成を示す外観斜視図である。図２は、本実施例の空間保護仕切り装置の一部を構成する第１仕切りユニットを示す外観斜視図である。図３は、第１仕切りユニットを机に装着した状態を示す外観斜視図である。【００１７】  図４は、本実施例の空間保護仕切り装置の一部を構成する第２仕切りユニットを示す外観斜視図である。図５は、本実施例の空間保護仕切り装置を机に装着した状態を示す図であって、空間保護仕切り装置が机上の空間を開放した状態を示す図である。図６は、本実施例の空間保護仕切り装置を机に装着した状態を示す図であって、空間保護仕切り装置が机上の空間を閉じた状態を示す図である。【００１８】  まず、図１を用いて、本実施例の空間保護仕切り装置が着脱可能に装着される机の構成について説明する。この机の構成は、従来の机と概ね同様である。【００１９】  図１に示す机１は、天板１１と、天板１１の左右両端に固定された脚部としての一対の側板１２と、天板１１及び側板１２に固定された後板１３とで構成されている。また、天板１１には、複数（３つ）の抽斗１４が設けられている。各抽斗１４には、この抽斗１４を移動（開閉）させるための取手（不図示）が設けられている。【００２０】  各抽斗１４は、天板１１に対して矢印Ｘ１方向及び矢印Ｘ２方向に摺動可能に取り付けられている。ここで、各抽斗１４を摺動させる機構は、公知の機構を用いている。具体的には、各抽斗１４の外側面に、天板１１に設けられたガイドバー（不図示）と係合する係合溝部を形成し、この係合溝部をガイドバーに沿って移動させることで、各抽斗１４を矢印Ｘ１方向及び矢印Ｘ２方向に移動させることができる。【００２１】  なお、各抽斗１４を摺動させる機構は、上述した機構に限るものではない。【００２２】  ここで、図１に示す状態（抽斗１４が収納された状態）から、各抽斗１４を矢印Ｘ１方向に移動させれば、書類等を抽斗１４内に収納することができる。なお、図１に示す机１では、抽斗１４を収納位置でロック（施錠）するためのロック機構は設けられていない。【００２３】  一方、天板１１と各側板１２との接続部分には、後述する第１仕切りユニット２に設けられた固定具２１ａ（図２参照）と係合する被係合部１２ａが設けられている。ここで、固定具２１ａ及び被係合部１２ａの具体的な構成については、後述する。【００２４】  次に、図２を用いて、本実施例における第１仕切りユニットの構成について説明する。【００２５】  第１仕切りユニット２は、図２の矢印Ｙ方向（言い換えれば、図１に示す机１の左右方向）において互いに向かい合う一対の側板部２１と、これらの側板部２１に固定された後板部２２とを有している。すなわち、第１仕切りユニット２は、略コの字状に形成されており、机１（天板１１）の前面（抽斗１４の前面に対応する面）以外の外側縁上に配置されるようになっている。【００２６】  各側板部２１には、２つの固定具２１ａが設けられており、これらの固定具２１ａは、第１仕切りユニット２を机１に固定するために用いられる。具��的には、固定具２１ａは、側板部２１から突出した部分を有しており、この突出部分を、凹部として構成された被係合部１２ａに係合させることによって、第１仕切りユニット２を机１に固定することができる。ここで、固定具２１ａや被係合部１２ａの数は、適宜設定することができる。【００２７】  なお、本実施例では、固定具２１ａの突出部分を凹部としての被係合部１２ａに係合させることによって、第１仕切りユニット２を机１に固定しているが、これに限るものではない。すなわち、第１仕切りユニット２を机１に着脱可能に装着できる構成であれば、いかなる構成であってもよい。例えば、天板１１の両端が側板１２よりも外側に延びている場合には、固定具２１ａを、天板１１の両端を狭持する構成とすることができる。【００２８】  一方、各側板部２１には、後述する第２仕切りユニット３に設けられた固定具３１ｂ（図４参照）と係合する被係合部２１ｂが設けられている。ここで、固定具３１ｂ及び被係合部２１ｂの具体的な構成については、後述する。【００２９】  また、各側板部２１は、この一端（机１の前面に対応する部分）において、図２の矢印Ｚ方向（側板部２１の延びる方向と略直交する方向）に延びるフランジ部２１ｃを有する。このフランジ部２１ｃには、後述する第２仕切りユニット３に設けられた開閉部材３２（図４参照）をガイドするためのガイド溝部２１ｄが形成されている。すなわち、ガイド溝部２１ｄは、開閉部材３２を狭持する構成となっている。【００３０】  ここで、図３に示すように、第１仕切りユニット２を机１に装着した場合には、フランジ部２１ｃが、天板１１の前面側に位置するようになっている。具体的には、抽斗１４の前面と重ならない位置に、フランジ部２１ｃが位置している。このように構成することで、第１仕切りユニット２を机１に装着した状態において、フランジ部２１ｃが、抽斗１４を開閉させる際の妨げになるのを防止することができる。【００３１】  ２つのフランジ部２１ｃのうち一方のフランジ部２１ｃには、後述する開閉部材３２を所定位置でロック（施錠）するためのロック機構（不図示）が設けられている。ここで、ロック機構としては、開閉部材３２の一部と当接して、開閉部材３２の移動を阻止できる構成であれば、いかなる構成を用いることもできる。例えば、開閉部材３２に開口部を設け、ロック機構の一部を構成するロック爪を上記開口部に係合させることによって、開閉部材３２のロック（施錠）を行うことができる。【００３２】  本実施例では、鍵を用いてロック機構をロック状態とロック解除状態との間で動作させるようになっている。ここで、フランジ部２１ｃには、鍵を通すための鍵穴部２１ｅが形成されている。例えば、上述したロック機構の構成においては、鍵穴部２１ｅに鍵を挿入して鍵を回動させることにより、ロック爪を、開閉部材３２の開口部と係合する位置と、この開口部から退避する位置との間で動作させることができる。【００３３】  なお、本実施例では、図２に示すように、２つのフランジ部２１ｃのうちの一方にロック機構（鍵穴部２１ｅ）を設けているが、２つのフランジ部２１ｃの両方にロック機構を設けることもできる。【００３４】  また、本実施例では、鍵を用い���ロック機構を動作させる場合について説明するが、これに限るものではない。例えば、電気的にロック機構を動作させる構成であってもよい。例えば、操作パネルを設け、操作パネルにおいて特定の情報を入力することによって、ロック機構をロック状態とさせたり、ロック状態を解除させたりすることができる。【００３５】  また、開閉部材３２を所定位置（具体的には、抽斗１４の前面を覆う位置）まで移動させたときに、開閉部材３２を自動的にロック状態とし、ロック状態を解除するときにのみ、鍵を用いてロック機構をロック解除状態としたり、操作パネルにおいて特定の情報を入力することによってロック機構をロック解除状態としたりするようにしてもよい。【００３６】  ここで、開閉部材３２を自動的にロックさせる機構として、例えば、上述したロック爪をバネ等によって一方向（上述した開口部と係合する方向）に付勢させておくことができる。この場合には、開閉部材３２を所定位置まで移動させる際に、開閉部材３２との当接によってロック爪が他方向に一旦移動した後に、開閉部材３２の開口部と係合することになる。また、開閉部材３２が所定位置まで移動したことを検出するための検出センサ又は検出スイッチと、この検出センサ又は検出スイッチの出力に応じて、ロック機構をロック状態に動作させる制御回路とを設けておくこともできる。【００３７】  なお、本実施例では、開閉部材３２を、抽斗１４の前面を覆う位置まで移動させているが、これに限るものではない。すなわち、開閉部材３２によって、抽斗１４の前面のうち少なくとも一部を覆うようにすることもできる。この場合において、フランジ部２１ｃは、抽斗１４の下端部に対応した位置まで延びていなくてもよい。【００３８】  一方、第１仕切りユニット２に、配線等（例えば、机１上に配置された電子機器の電源コードや通信回線）を通過させるための開口部を形成することができる。この開口部を形成する位置は、適宜設定することができる。【００３９】  具体的には、一対の側板部２１及び後板部２２のうち、少なくとも１箇所に開口部を形成することができる。これにより、例えば、配線等を通過させるための開口部が形成されていない机に、開口部を備えた第１仕切りユニット２を装着すれば、机１上に配置されたパソコン等の電子機器の配線のレイアウトを容易に行うことができる。そして、机１上に電子機器を配置した場合の使い勝手（機能性や利便性）を向上させることができる。【００４０】  ここで、第１仕切りユニット２に開口部を形成した場合には、開口部を閉じるための閉じ部材を別途設けることができる。これにより、開口部を使用しない状態においては、閉じ部材を開口部に装着しておくことで、第１仕切りユニット２の見栄えを良くすることができる。【００４１】  次に、図４を用いて、本実施例における第２仕切りユニットの構成について説明する。【００４２】  第２仕切りユニット３は、図４の矢印Ｙ方向において互いに向かい合う一対の側板部材３１と、これらの側板部材３１に対して摺動可能な開閉部材３２とを有している。各側板部材３１には、この外縁に沿って延び、開閉部材３２をガイドするためのガイド溝部３１ａが形成されている。すなわち、ガイド溝部３１ａは、開閉部材３２を狭持する構成となっている。【００４３】  また、各側板部材３１の下端には、第２仕切りユニット３を第１仕切りユニット２に固定するための２つの固定具３１ｂが設けられている。具体的には、固定具３１ｂは、側板部材３１の下端面から突出した部分を有しており、この突出部分を、凹部として構成された被係合部２１ｂ（図２参照）に係合させることによって、第２仕切りユニット３を第１仕切りユニット２に固定することができる。ここで、固定具３１ｂや被係合部２１ｂの数は、適宜設定することができる。【００４４】  なお、本実施例では、固定具３１ｂの突出部分を凹部としての被係合部２１ｂに係合させることによって、第２仕切りユニット３を第１仕切りユニット２に固定しているが、これに限るものではない。すなわち、第２仕切りユニット３を第１仕切りユニット２に着脱可能に装着できる構成であれば、いかなる構成であってもよい。【００４５】  第２仕切りユニット３を第１仕切りユニット２に装着した状態において、第２仕切りユニット３におけるガイド溝部３１ａは、第１仕切りユニット２におけるガイド溝部２１ｄと連続した面を構成する。これにより、開閉部材３２は、ガイド溝部３１ａ及びガイド溝部２１ｄ内を移動可能となる。【００４６】  開閉部材３２は、図４の矢印Ｙ方向に延びる複数の開閉部３２ａで構成されており、これらの開閉部３２ａは互いに連結されている。また、各開閉部３２ａの両端には、上述したガイド溝部３１ａ及びガイド溝部２１ｄと係合する係合部（不図示）が設けられている。すなわち、開閉部３２ａの係合部をガイド溝部３１ａ、２１ｄに係合させることによって、開閉部材３２は、ガイド溝部３１ａ、２１ｄに沿って移動可能となる。【００４７】  ここで、開閉部材３２の一端は、２つの側板部材３１に固定され、他端は、２つの側板部材３１に対して移動可能となっている。これにより、２つの側板部材３１は、開閉部材３２を介して互いに連結されている。【００４８】  そして、開閉部材３２は、側板部材３１とともに机１上の空間を覆う閉じ状態（図５に示す状態）と、机１上の空間を開放させる開き状態との間で動作可能となっている。すなわち、開閉部材３２の他端を手動によって移動させることによって、開閉部材３２を閉じ状態及び開き状態の間で動作させることができる。ここで、図６は、机１上の空間の一部を開放状態としたときの図である。【００４９】  開閉部材３２が開き状態にある場合において、開閉部材３２を構成する複数の開閉部３２ａは、互いに重畳された状態となっている。一方、開閉部材３２が閉じ状態にある場合において、複数の開閉部３２ａは展開された状態となっている。ここで、２つの側板部材３１に連結され、重畳状態の開閉部材３２を収納可能な収納部材を設けることもできる。この収納部材は、机１（天板１１）の背面側に配置され、例えば、断面（矢印Ｙ方向と直交する断面）を略コの字状に形成することができる。なお、収納部材は、重畳状態の開閉部材３２を収納できるものであれば、いかなる構成（形状）であってもよい。【００５０】  また、図５に示すように、開閉部材３２が閉じ状態にある場合には、開閉部材３２の端部が、机１における抽斗１４の前面を覆��ている。そして、第１仕切りユニット２（フランジ部２１ｃ）に設けられたロック機構をロック状態とすることで、開閉部材３２は、図５に示す状態に保持されることになる。【００５１】  なお、本実施例では、開閉部材３２を複数の開閉部３２ａで構成した場合について説明したが、これに限るものではない。すなわち、側板部材３１の外縁に沿って移動可能であり、側板部材３１とともに机１上の空間を覆ったり、机１上の空間を開放させたりするものであれば、いかなる構成であってもよい。【００５２】  例えば、開閉部材３２をシート状の部材で構成し、シート状の部材を巻き取る巻取機構を設けることができる。ここで、巻取機構によって、シート状の部材を巻き取れば、机１上の空間を開放状態とすることができる。また、巻取機構によって巻き取られたシート状の部材を展開させれば、机１上の空間を閉じ状態とすることができる。【００５３】  なお、開閉部材３２をシート状の部材で構成する場合においては、いかなる材料を用いることもできるが、損傷等を抑制する上では、高剛性の材料を用いることが好ましい。【００５４】  本実施例によれば、第１仕切りユニット２及び第２仕切りユニット３で構成される空間保護仕切り装置を、既存の机１に装着するだけで、机１上の空間を物理的に外部と仕切ることができる。これにより、机１上に配置された物（例えば、書類や電子機器）をまとめて保護することができる。【００５５】  すなわち、本実施例では、空間保護仕切り装置（第２仕切りユニット３）の開閉部材３２を操作して閉じ状態とするだけで、机１上の空間を覆うことができる。【００５６】  ここで、従来では、机１上にパソコンを配置し、机１上で書類を広げて作業を行っている場合において、作業者が机から離れるときには、書類を机１の抽斗１４に収納するとともに、パソコン上でのセキュリティを設定しなければならないことがある。特に、短時間だけ机から離れる場合においても、パソコン上でのセキュリティを設定するとともに、書類を抽斗１４に収納することは、非常に面倒であり、非効率的である。【００５７】  一方、本実施例の空間保護仕切り装置では、開閉部材３２を操作するだけで良く、パソコン上でのセキュリティを設定するとともに、書類を抽斗１４内に収納する必要がない。すなわち、開閉部材３２を移動させるといった簡単な操作だけで、机１上の空間を外部と仕切ることができ、机１上に配置された物（例えば、書類や電子機器）をまとめて保護することができる。【００５８】  また、昼夜を問わず、机１上に配置されたパソコンを自動的に動作させておく場合には、本実施例の空間保護仕切り装置を用いて机１上の空間を覆っておくことで、使用者以外の者がパソコンを操作してしまうのを防止することができる。【００５９】  本実施例では、既存の机に空間保護仕切り装置を装着するだけであるため、本実施例の空間保護仕切り装置を用いるための専用の机を用意する必要が無い。すなわち、現在使用している机に対して、本実施例の空間保護仕切り装置を装着することができ、この空間保護仕切り装置を使用する際のコストアップを抑制することができる。【００６０】  さらに、閉じ状態における開閉部材３２は、机１における抽斗１４の前面を覆う構成となっているため、開閉部材３２を閉じ状態とすることで、机１上の空間を外部と仕切るとともに、抽斗１４を保護することができる。すなわち、開閉部材３２によって抽斗１４の前面（少なくとも一部）を覆うことで、抽斗１４をロックした状態と同様の効果を得ることができ、抽斗１４が操作されてしまうのを防止することができる。この構成は、抽斗１４のロック機構が設けられていない机において、特に好適に用いることができる。【００６１】  また、第１仕切りユニット２だけを机１に装着すれば、複数の机が並べて配置されている場合に、隣り合う机１を第１仕切りユニット２によって仕切ることができる。ここで、第１仕切りユニット２の高さ（図２の矢印Ｚ方向の長さ）は、適宜設定することができる。【００６２】  本実施例の空間保護仕切り装置は、多くの公的機関や秘密情報などを扱う部署において、特に好適に用いることができる、そして、上述したように、簡単な操作によって机１上に配置された物を保護できるため、作業効率が向上し、公的機関等におけるサービスの向上を図ることも可能である。【００６３】  さらに、従来において、机全体を保護するために、机を囲むように仕切り部材を配置することも考えられるが、この場合には、仕切り部材が大型となり、仕切り部材の設置が面倒になるとともに、フロアレイアウトの自由度が制限されてしまう。【００６４】  一方、本実施例では、机（天板）の大きさに対応した空間保護仕切り装置を机に装着するだけであるため、装着作業が簡単であるとともに、フロアレイアウトの自由度を向上させることができる。【００６５】  なお、本実施例の空間保護仕切り装置が装着される机は、図１に示す構成の机１に限るものではなく、既存の机であれば、いかなる構成であっても適用することができる。例えば、天板１１の形状等が互いに異なる机１に装着する場合には、この天板１１に装着可能な大きさに空間保護仕切り装置を構成すればよい。【００６６】  また、本実施例の空間保護仕切り装置では、第１仕切りユニット２及び第２仕切りユニット３を別体として構成しているが、図７に示すように、一体として構成してもよい。ここで、図７において、図１〜図６で説明した部材と同一の機能を有する部材については、同一符号を用いている。【００６７】  さらに、本実施例では、開閉部材３２の端部が抽斗１４の前面を覆う構成となっているが、図７に示すように、抽斗１４の前面を覆わない構成とすることもできる。このような構成であっても、机１上の空間を外部と仕切ることができ、机１上に配置された物を保護することができる。【００６８】  また、本実施例では、第１仕切りユニット２及び第２仕切りユニット３によって、空間保護仕切り装置を構成していたが、第１仕切りユニット２を省略して、第２仕切りユニット３だけで空間保護仕切り装置を構成してもよい。この場合には、第２仕切りユニット３を机１に直接、固定することになる。そして、第２仕切りユニット３だけを用いる場合には、第２仕切りユニット３に、第１仕切りユニット２のフランジ部２１ｃに相当する部分を設けることができる。
【図面の簡単な説明】
【００６９】
【図１】  本発明の実施例１である空間保護仕切り装置が着脱可能に装着される机の構成を示す外観斜視図である。
【図２】  実施例１の空間保護仕切り装置の一部を構成する第１仕切りユニットを示す外観斜視図である。
【図３】  第１仕切りユニットを机に装着した状態を示す外観斜視図である。
【図４】  実施例１の空間保護仕切り装置の一部を構成する第２仕切りユニットを示す外観斜視図である。
【図５】  実施例１の空間保護仕切り装置を机に装着した状態を示す図であって、空間保護仕切り装置が机上の一部の空間を開放した状態を示す図である。
【図６】  実施例１の空間保護仕切り装置を机に装着した状態を示す図であって、空間保護仕切り装置が机上の空間を閉じた状態を示す図である。
【図７】  本発明の変形例である空間保護仕切り装置の構成を示す図であって、机に装着された状態を示す外観斜視図である。
【符号の説明】
【００７０】１：机
１１：天板
１４：抽斗
２：第１仕切りユニット
２１：側板部
２１ａ：固定具
２１ｂ：係合部
２１ｃ：フランジ部
２１ｄ：ガイド溝部
２１ｅ：鍵穴部
３：第２仕切りユニット
３１：側板部材
３１ａ：ガイド溝部
３１ｂ：固定具
３２：開閉部材
【図１】
2008049099.tif 000003
【図２】
2008049099.tif 000004
【図３】
2008049099.tif 000005
【図４】
2008049099.tif 000006
【図５】
2008049099.tif 000007
【図６】
2008049099.tif 000008
【図７】
2008049099.tif 000009